(57)【要約】【課題】小型化が可能な光コネクタの接続構造を提供すること。【解決手段】光コネクタの接続構造は、第１光コネクタ１と第２光コネクタ３とを備える。第１光コネクタ１は、光電変換素子１２を有する光電変換モジュール１０と、光電変換素子１２に対応したレンズ構造を有するレンズ体２０と、レンズ体２０を収容する第１ハウジング３０と、を有する。第２光コネクタ３は、光ファイバ４の端末を保持するフェルール６０と、フェルール６０を収容する第２ハウジング５０と、を有する。この接続構造は、第１光コネクタ１と第２光コネクタ３との嵌合時、第１ハウジング３０の第１当接箇所３８と、第２ハウジング５０の第２当接箇所５０と、が当接することにより、レンズ体２０とフェルール６０とが所定の光学的距離Ｌをあけて対面するように、レンズ体２０及びフェルール６０の位置が規制される。【選択図】図４
2020118865.tif 000002
【特許請求の範囲】
【請求項１】
第１光コネクタと第２光コネクタとを備える、光コネクタの接続構造であって、
前記第１光コネクタは、
光電変換素子を有する光電変換モジュールと、
前記光電変換素子に対応したレンズ構造を有するレンズ体と、
前記レンズ体を収容する第１ハウジングと、を有し、
前記第２光コネクタは、
光ファイバの端末を保持するフェルールと、
前記フェルールを収容する第２ハウジングと、を有し、
当該接続構造は、
前記第１光コネクタと前記第２光コネクタとの嵌合時、前記第１ハウジングの第１当接箇所と、前記第２ハウジングの第２当接箇所と、が当接することにより、前記レンズ体と前記フェルールとが所定の光学的距離をあけて対面するように、前記レンズ体及び前記フェルールの位置が規制される、
光コネクタの接続構造。
【請求項２】
請求項１に記載の接続構造において、
前記第１当接箇所は、
前記レンズ体を収容する筒状部の側面において、前記第１光コネクタと前記第２光コネクタとの嵌合方向に沿って延びる凸条部であり、
前記第２当接箇所は、
前記嵌合方向において前記凸条部に当接する、
光コネクタの接続構造。
【発明の詳細な説明】
【技術分野】
【０００１】
本発明は、光コネクタの接続構造に関する。
【背景技術】
【０００２】
従来から、回路基板に実装された基板側光コネクタと、光ファイバに繋がる相手側光コネクタと、の接続構造が提案されている。通常、基板側光コネクタと相手側光コネクタとの嵌合時、基板側光コネクタ側に設けられたレンズ体と、相手側光コネクタ側に設けられた光ファイバの端末に取り付けられるフェルールとが、所定の光学的距離をあけて対面するように、レンズ体及びフェルールの位置が規制されるようになっている。このような光学的距離を確保することにより、例えば、フェルール（即ち、光ファイバ）の端面とレンズ体との接触による接触箇所の傷付き等に起因して光信号の伝達効率が低下することが防止され得る。
【０００３】
上述した光学的距離を確保するため、従来の接続構造の一つでは、フェルールの外側面に設けられた段部と、レンズ体を収容するハウジングの筒状部の先端面と、が当接することにより、レンズ体及びフェルールの位置が規制されるようになっている（例えば、特許文献１参照）。
【先行技術文献】
【特許文献】
【０００４】
【特許文献１】特開２０１２−１９０７０７号公報
【発明の概要】
【発明が解決しようとする課題】
【０００５】
上述した従来の光コネクタの接続構造では、フェルールの外側面にハウジングにおける筒状部の先端面と当接させるための位置決め用の段部が設けられている。このため、そのような段部が設けられた分だけフェルールの外径が大きくなる。その結果、コネクタ全体も大型化することになる。一方、光コネクタが適用される各種装置の小型化の要請などに起因し、光コネクタに対しても一層の小型化が望まれている。
【０００６】
本発明は、上述した事情に鑑みてなされたものであり、その目的は、小型化が可能な光コネクタの接続構造、を提供することにある。
【課題を解決するための手段】
【０００７】
前述した目的を達成するために、本発明に係る光コネクタの接続構造は、下記［１］〜［２］を特徴としている。
［１］
第１光コネクタと第２光コネクタとを備える、光コネクタの接続構造であって、
前記第１光コネクタは、
光電変換素子を有する光電変換モジュールと、
前記光電変換素子に対応したレンズ構造を有するレンズ体と、
前記レンズ体を収容する第１ハウジングと、を有し、
前記第２光コネクタは、
光ファイバの端末を保持するフェルールと、
前記フェルールを収容する第２ハウジングと、を有し、
当該接続構造は、
前記第１光コネクタと前記第２光コネクタとの嵌合時、前記第１ハウジングの第１当接箇所と、前記第２ハウジングの第２当接箇所と、が当接することにより、前記レンズ体と前記フェルールとが所定の光学的距離をあけて対面するように、前記レンズ体及び前記フェルールの位置が規制される、
光コネクタの接続構造であること。
［２］
上記［１］に記載の接続構造において、
前記第１当接箇所は、
前記レンズ体を収容する筒状部の側面において、前記第１光コネクタと前記第２光コネクタとの嵌合方向に沿って延びる凸条部であり、
前記第２当接箇所は、
前記嵌合方向において前記凸条部に当接する、
光コネクタの接続構造であること。
【０００８】
上記［１］の構成の光コネクタの接続構造は、従来の接続構造とは異なり、第１ハウジング及び第２ハウジングの当接箇所同士が当接することで、レンズ体とフェルールとの位置決めがなされる。そのため、フェルールの外側面に位置決め用の段部などを設ける必要がない。よって、フェルールが小型化され、その結果としてコネクタ全体も小型化される。したがって、本構成の光コネクタの接続構造は、従来の接続構造に比べて小型化が可能である。
【０００９】
上記［２］の構成の光コネクタの接続構造によれば、レンズ体を収容する筒状部の側面に、第１光コネクタと第２光コネクタとの嵌合方向に沿って延びる凸条部が設けられる。この凸条部が、位置決め用の当接箇所として用いられる。よって、この種の光コネクタに一般に設けられる筒状部の側面に位置決め用の当接箇所を設けることで、当接箇所のための専用の箇所をハウジングに別途設ける場合に比べ、コネクタを小型化できる。
【発明の効果】
【００１０】
本発明によれば、小型化が可能な光コネクタの接続構造を提供できる。
【００１１】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１２】
【図１】図１（ａ）は、本発明に係る光コネクタの接続構造の分解斜視図であり、図１（ｂ）は、組み付けが完了した本発明に係る光コネクタの接続構造の斜視図である。
【図２】図２（ａ）は、基板側光コネクタの斜視図であり、図２（ｂ）は、基板側光コネクタの平面図である。
【図３】図３は、基板側光コネクタの分解斜視図である。
【図４】図４は、図１（ｂ）のＡ−Ａ断面図である。
【発明を実施するための形態】
【００１３】
＜実施形態＞
以下、図面を参照しながら、本発明の実施形態に係る光コネクタの接続構造について説明する。図１（ａ）に示すように、本発明の実施形態に係る光コネクタの接続構造は、回路基板２に実装される基板側光コネクタ１と、光ファイバ４に繋がる相手側光コネクタ３と、の接続構造である。図１（ｂ）に示すように、基板側光コネクタ１と相手側光コネクタ３とが嵌合されることで、基板側光コネクタ１と、相手側光コネクタ３に接続された光ファイバ４とが光通信可能とされる。
【００１４】
以下、説明の便宜上、図１に示すように、「前後方向」、「幅方向」、「上下方向」、「上」及び「下」を定義する。「前後方向」、「幅方向」及び「上下方向」は、互いに直交している。「上下方向」は、基板側光コネクタ１と相手側光コネクタ３との嵌合方向と一致している。以下、先ず、図２〜図４を参照しながら、基板側光コネクタ１を構成する各部品について順に説明する。
【００１５】
図３に示すように、基板側光コネクタ１は、光電変換モジュール１０と、レンズ体２０と、ハウジング３０と、シールド部材４０と、を備える。
【００１６】
光電変換モジュール１０は、図３に示すように、略矩形平板状の樹脂成形体であり、一対の矩形状のＦＯＴ（Ｆｉｂｅｒ  Ｏｐｔｉｃ  Ｔｒａｎｓｃｅｉｖｅｒ）１１が、幅方向に並ぶように一体で設けられている。一対のＦＯＴ１１それぞれの所定位置には、上方に露呈するように、光電変換素子１２（図４参照）が設けられている。
【００１７】
一対のＦＯＴ１１のうち一方のＦＯＴ１１は発光側ＦＯＴである。発光側ＦＯＴ１１の光電変換素子１２は、例えば、ＬＥＤ（Ｌｉｇｈｔ  Ｅｍｉｔｔｉｎｇ  Ｄｉｏｄｅ）、ＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ）などの発光素子である。一対のＦＯＴ１１のうち他方のＦＯＴ１１は受光側ＦＯＴである。受光側ＦＯＴ１１の光電変換素子１２は、例えば、ＰＤ（Ｐｈｏｔｏ  Ｄｉｏｄｅ）などの受光素子である。
【００１８】
光電変換モジュール１０には、インサート成形により、金属製の複数本のリードフレーム１３が一体化されている。複数本のリードフレーム１３は、一対の光電変換素子１２と接続されていると共に、光電変換モジュール１０の前後方向両端面から前後方向外側且つ下方に向けて延びている。各リードフレーム１３の前後方向先端部は、回路基板２のパッド上の対応する箇所にそれぞれハンダ付けされて、回路基板２の所定の回路に対して電気的に接続されることになる。
【００１９】
光電変換モジュール１０における幅方向両端面の前後方向中央部にはそれぞれ、幅方向外側へ突出する係止突起１４が一体で形成されている。光電変換モジュール１０における前後方向両端面の幅方向中央部にはそれぞれ、前後方向内側へ向けて窪んだ凹部１５が形成されている。係止突起１４には、シールド部材４０の係止孔４６ａ（後述）の下端縁が係止されることになる。凹部１５には、レンズ体２０の突起部２５（後述）が挿入されることになる。
【００２０】
レンズ体２０は、導光性を有する透明樹脂による一体成形体であり、図３に示すように、略矩形平板状の基板部２１と、基板部２１の上面から上方へ突出する一対の略円柱状のレンズ部２２と、を一体に有する。本例では、一対のレンズ部２２の基板部２１からの突出高さが異なっている。一対のレンズ部２２は、基板部２１上において、幅方向に並ぶように、且つ、光電変換モジュール１０の一対の光電変換素子１２に対応する位置に設けられている。一対のレンズ部２２のうち一方のレンズ部２２は発光側レンズ部であり、他方のレンズ部２２は受光側レンズ部である。
【００２１】
基板部２１における幅方向両端面の前後方向中央部にはそれぞれ、幅方向内側へ向けて窪んだ凹部２３が形成されている。凹部２３の底面（幅方向内側端面）２４は、前後方向及び上下方向に広がる平面である。基板部２１の下面における前後方向両端部の幅方向中央部にはそれぞれ、下方に突出する突起部２５が一体に形成されている。
【００２２】
ハウジング３０は、図３に示すように、下方に開口する矩形箱状の樹脂成形体であり、レンズ体２０を収容する機能を有する。ハウジング３０は、略矩形平板状の天板部３１と、天板部３１の前後方向両端部から垂下する一対の側板部３２と、天板部３１の幅方向両端部から垂下する一対の側板部３３と、を一体に備える。側板部３２は、ハウジング３０の幅方向全域に亘って連続して設けられている。側板部３３は、ハウジング３０の前後方向両端部近傍に設けられ、前後方向中央部には設けられていない。側板部３３の下端部には、幅方向外側に屈曲して上方に向けて延びる受け部３４が一体形成されている。側板部３３と受け部３４との間の空間には、シールド部材４０の側板部４３（後述）が挿入されることになる。
【００２３】
天板部３１における幅方向両端部の前後方向中央部（側板部３３が設けられていない部分）にはそれぞれ、幅方向内側に向けて窪んだ凹部３５が形成されている。凹部３５の底面（幅方向内側端面）３６は、前後方向に沿って延びている。
【００２４】
天板部３１には、天板部３１の上面から上方へ突出すると共に上下方向に貫通する一対の略円筒状の筒状部３７が一体で形成されている。一対の筒状部３７は、天板部３１上において、幅方向に並ぶように、且つ、レンズ体２０の一対のレンズ部２２に対応する位置に設けられている。一対の筒状部３７には、一対のレンズ部２２が挿入されることになる。
【００２５】
各筒状部３７の外側面における周方向の複数箇所（本例では、４箇所）にはそれぞれ、上下方向に延びる凸条部３８が一体で形成されている。凸条部３８の上端面は、筒状部３７の上端面より所定距離だけ下方に位置している。後述するように、凸条部３８の上端面は、基板側光コネクタ１と相手側光コネクタ３との嵌合時、レンズ部２２及びフェルール６０の位置を規制するための「第１当接箇所」として機能することになる。
【００２６】
シールド部材４０は、図３に示すように、１枚の金属板にプレス加工等を施すことにより形成された下方に開口する箱状体であり、ノイズを遮蔽する機能を有する。シールド部材４０は、略矩形平板状の天板部４１と、天板部４１の前後方向両端部から垂下する一対の側板部４２と、天板部４１の幅方向両端部から垂下する一対の側板部４３と、を一体に備える。側板部４２は、ハウジング３０の幅方向全域に亘って連続して設けられている。側板部４３は、ハウジング３０の前後方向両端部近傍に設けられ、前後方向中央部には設けられていない。
【００２７】
天板部４１における幅方向両端部の前後方向中央部（側板部４３が設けられていない部分）からはそれぞれ、片持ち梁状の係止アーム４４が、下方且つ幅方向内側に向けて一体に延びている。係止アーム４４は、幅方向に弾性変形可能となっている。係止アーム４４は、天板部４１の幅方向両端部から下方且つ幅方向内側に傾斜して延びる平板状の傾斜連結部４５と、傾斜連結部４５の下端縁から下方に向けて延びる矩形枠状の係止部４６と、により構成されている。係止部４６には矩形状の係止孔４６ａが形成されている。このように、係止アーム４４は、側板部４３よりも幅方向内側に向けて延びている。
【００２８】
天板部４１には、上下方向に貫通する一対の略円形状の貫通孔４７が形成されている。一対の貫通孔４７は、天板部４１上において、幅方向に並ぶように、且つ、ハウジング３０の一対の筒状部３７に対応する位置に設けられている。各貫通孔４７における周方向の複数箇所（本例では、４箇所）にはそれぞれ、凸条部３８に対応する径方向外側に窪んだ凹部４７ａが形成されている。一対の貫通孔４７には、一対の筒状部３７が挿入されることになる。
【００２９】
天板部４１の四隅部分にはそれぞれ、片持ち梁状の押圧片４８が切り起こしにより形成されている（図２も参照）。各押圧片４８は、前後方向外側且つ下方に傾斜して延びており、上下方向に弾性変形可能となっている。各押圧片４８は、ハウジング３０の天板部３１の上面と接触することになる。
【００３０】
側板部４３の前後方向両端部（即ち、側板部４２及び側板部４３が交差する部分）からはそれぞれ、ピン状の端子４９が下方に突出している（計４本）。各端子４９は、回路基板２に設けられた対応するスルーホールにそれぞれ挿入されてハンダ付けされることになる。以上、基板側光コネクタ１を構成する各部品について説明した。
【００３１】
次いで、図３及び図４を参照しながら、基板側光コネクタ１の組み付けについて説明する。先ず、光電変換モジュール１０の上に、レンズ体２０を積層するように載置する。その際、レンズ体２０の一対の突起部２５が光電変換モジュール１０の一対の凹部１５に挿入されることで、光電変換モジュール１０に対するレンズ体２０の位置決めがなされる。これにより、一対のレンズ部２２が、一対の光電変換素子１２の直上にそれぞれ配置される（図４参照）。
【００３２】
次いで、光電変換モジュール１０に載置されたレンズ体２０を上から覆うように、ハウジング３０をレンズ体２０に組み付ける。その際、レンズ体２０の一対のレンズ部２２がハウジング３０の一対の筒状部３７に挿入されることで、レンズ体２０に対するハウジング３０の位置決めがなされる。これにより、ハウジング３０の天板部３１の下面がレンズ体２０の基板部２１の上面に接触し、ハウジング３０の側板部３２，３３がレンズ体２０の基板部２１の側面を覆っている。なお、筒状部３７が貫通孔４７に挿入されると同時に凸条部３８が凹部４７ａに挿入されることになる。
【００３３】
次いで、ハウジング３０及びレンズ体２０を光電変換モジュール１０との間に上下方向に挟むように、シールド部材４０を、ハウジング３０の上から光電変換モジュール１０に組み付ける。その際、ハウジング３０の一対の筒状部３７がシールド部材４０の一対の貫通孔４７に挿入されることで、ハウジング３０に対するシールド部材４０の位置決めがなされる。ハウジング３０の側板部３２，３３がそれぞれ、シールド部材４０の側板部４２，４３により覆われる。シールド部材４０の側板部４３が、ハウジング３０の側板部３３と受け部３４との間の空間に挿入される。
【００３４】
シールド部材４０の光電変換モジュール１０への組み付けは、一対の係止アーム４４の係止孔４６ａの下端縁を、係止アーム４４の幅方向外側への一時的な弾性変形を伴いながら光電変換モジュール１０の一対の係止突起１４を乗り越えさせて、一対の係止突起１４の下面に係止させることで達成される（図４参照）。これにより、基板側光コネクタ１の組み付けが完了して、図２に示す基板側光コネクタ１が得られる。
【００３５】
基板側光コネクタ１の組み付けが完了した状態では、図４に示すように、シールド部材４０の各押圧片４８が、ハウジング３０の天板部３１の上面に押圧されて、上方向に弾性変形している。この結果、各押圧片４８は、下方に向けた自身の弾性復元力により、ハウジング３０及びレンズ体２０を、下方に（即ち、光電変換モジュール１０に向けて）弾性的に押圧している。このため、押圧片４８により、ハウジング３０及びレンズ体２０が光電変換モジュール１０に向けて押し付けられた状態が維持される。
【００３６】
また、図４に示すように、シールド部材４０の天板部４１の下面とハウジング３０の天板部３１の上面との間には上下方向の隙間が存在している。この隙間の大きさは、基板側光コネクタ１の構成部品間の熱膨張係数の相違等に起因して、雰囲気温度等の状況に応じて変動し得る。このように隙間の大きさが変動しても、押圧片４８によりハウジング３０及びレンズ体２０が光電変換モジュール１０に向けて押し付けられた状態が維持され得るように設計されている。
【００３７】
このように組み付けが完了した基板側光コネクタ１は、図１（ａ）に示すように、回路基板２に実装される。基板側光コネクタ１の回路基板２への実装は、光電変換モジュール１０の複数のリードフレーム１３を回路基板２のパッド上にそれぞれハンダ付けし、且つ、シールド部材４０の端子４９を回路基板２のスルーホールにハンダ付けすることで達成される。これにより、図１（ａ）に示す回路基板２に実装された基板側光コネクタ１が得られる。
【００３８】
次いで、図１及び図４を参照しながら、相手側光コネクタ３を構成する各部品について順に説明する。相手側光コネクタ３は、相手側ハウジング５０と、フェルール６０と、を備える。
【００３９】
相手側ハウジング５０は、図１（ａ）に示すように、略直方体状の樹脂成形体であり、フェルール６０を収容する機能を有する。相手側ハウジング５０には、上下方向に貫通する一対の円筒状のフェルール収容孔５１が形成されている。一対のフェルール収容孔５１は、幅方向に並ぶように、且つ、ハウジング３０の一対の筒状部３７に対応する位置に設けられている。
【００４０】
フェルール収容孔５１における上下方向中央部の内壁には、図４に示すように、径方向内側に突出する環状突部５２が形成されている。後述するように、相手側ハウジング５０におけるフェルール収容孔５１の下端縁近傍に位置する下端面は、基板側光コネクタ１と相手側光コネクタ３との嵌合時、レンズ部２２及びフェルール６０の位置を規制するための「第２当接箇所」として機能することになる。
【００４１】
フェルール６０は、図１（ａ）に示すように、略円筒状の樹脂成形体であり、光ファイバ４の端部を収容する機能を有する。フェルール６０における上下方向中央部及び上端部における外側面にはそれぞれ、径方向外側に突出する環状鍔部６１，６２が形成されている。以上、相手側光コネクタ３を構成する各部品について説明した。
【００４２】
次いで、図１及び図４を参照しながら、相手側光コネクタ３の組み付けについて説明する。先ず、図１（ａ）に示すように、光ファイバ４の端部が収容され固定されたフェルール６０を、２つ準備する。一対の光ファイバ４のうち一方の光ファイバ４は送信側光ファイバとして機能し、他方の光ファイバ４は受信側光ファイバとして機能する。
【００４３】
次いで、図４に示すように、光ファイバ４が接続された一対のフェルール６０を、上側から、相手側ハウジング５０のフェルール収容孔５１内に、フェルール６０の環状鍔部６１がフェルール収容孔５１の環状突部５２に当接するまで挿入する。ここにおいて、環状鍔部６１及び環状突部５２は、相手側ハウジング５０に対するフェルール６０の下方向に対する位置決め手段として機能する。環状鍔部６２は、フェルール収容孔５１内におけるフェルール６０の傾きを防止する手段として機能する。なお、相手側ハウジング５０に対するフェルール６０の上方向に対する位置決め（抜け止め）は、不図示の手段によってなされている。
【００４４】
これにより、環状鍔部６１及び環状突部５２が当接した状態で、フェルール６０が相手側ハウジング５０内に固定される。これにより、一対の光ファイバ４が接続された相手側光コネクタ３が得られる。
【００４５】
次いで、回路基板２に実装された基板側光コネクタ１と、一対の光ファイバ４が接続された相手側光コネクタ３と、の嵌合について説明する。基板側光コネクタ１に相手側光コネクタ３を嵌合させるためには、図４に示すように、基板側光コネクタ１の一対の筒状部３７を、相手側光コネクタ３の一対のフェルール収容孔５１に挿入させる。この挿入は、筒状部３７に設けられた凸条部３８の上面と、相手側ハウジング５０におけるフェルール収容孔５１の下端縁近傍に位置する下端面と、が当接するまで継続される（図４参照）。これにより、基板側光コネクタ１及び相手側光コネクタ３の嵌合が完了して、図１（ｂ）に示す本発明の実施形態に係る光コネクタの接続構造が得られる。
【００４６】
このように、凸条部３８の上面と相手側ハウジング５０の下端面とが当接した状態では、レンズ体２０のレンズ部２２の上端面とフェルール６０の下端面とが所定の光学的距離Ｌ（より詳細には、Ｌ１＞０，Ｌ２＞０）をあけて対面している（図４参照）。即ち、凸条部３８の上面及び相手側ハウジング５０の下端面はそれぞれ、本発明の「第１当接箇所」及び「第２当接箇所」として機能している。このように、光学的距離Ｌ（＞０）を確保することにより、フェルール６０（即ち、光ファイバ４）の端面とレンズ体２０との接触による接触箇所の傷付き等に起因して光信号の伝達効率が低下することが防止され得る。
【００４７】
図１（ｂ）に示すように、回路基板２に実装された基板側光コネクタ１と、一対の光ファイバ４が接続された相手側光コネクタ３とが嵌合した状態では、回路基板２にて生成された電気信号が、発光側ＦＯＴ１１の光電変換素子１２により光信号に変換され、変換された光信号が、発光側レンズ部２２に入射し、相手側光コネクタ３の送信側光ファイバ４へ導かれる。また、相手側光コネクタ３の受信側光ファイバ４から受光側レンズ部２２へ入射した光信号は、受光側ＦＯＴ１１の光電変換素子１２で受光されて電気信号に変換され、変換された電気信号が、回路基板２へ伝送される。
【００４８】
以上、本発明の実施形態に係る光コネクタの接続構造によれば、従来の接続構造とは異なり、ハウジング３０及び相手側ハウジング５０の当接箇所同士（凸条部３８の上面と相手側ハウジング５０の下端面）が当接することで、レンズ体２０とフェルール６０との位置決めがなされる。そのため、フェルール６０の外側面に位置決め用の段部などを設ける必要がない。よって、フェルール６０の小型化、ひいては、コネクタ全体の小型化が可能である。
【００４９】
更に、本発明の実施形態に係る光コネクタの接続構造によれば、レンズ体２０を収容する筒状部３７の側面に、上下方向（嵌合方向）に沿って延びる凸条部３８が設けられる。この凸条部３８が、位置決め用の第１当接箇所として用いられる。よって、この種の光コネクタに一般に設けられる筒状部３７の側面に位置決め用の第１当接箇所を設けることで、第１当接箇所のための専用の箇所をハウジング３０に別途設ける場合に比べ、コネクタを小型化できる。
【００５０】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５１】
例えば、上記実施形態では、レンズ体２０を収容する筒状部３７の側面に設けられた凸条部３８が、位置決め用の第１当接箇所として用いられる。これに対し、第１当接箇所のための専用の箇所を、筒状部３７の側面以外のハウジング３０の部分に別途設けてもよい。同様に、上記実施形態では、相手側ハウジング５０の下端面が、位置決め用の第２当接箇所として用いられる。これに対し、第２当接箇所のための専用の箇所を、相手側ハウジング５０の下端面以外の相手側ハウジング５０の部分に別途設けてもよい。
【００５２】
ここで、上述した本発明に係る光コネクタの接続構造の実施形態の特徴をそれぞれ以下［１］〜［２］に簡潔に纏めて列記する。
［１］
第１光コネクタ（１）と第２光コネクタ（３）とを備える、光コネクタの接続構造であって、
前記第１光コネクタ（１）は、
光電変換素子（１２）を有する光電変換モジュール（１０）と、
前記光電変換素子（１２）に対応したレンズ構造を有するレンズ体（２０）と、
前記レンズ体（２０）を収容する第１ハウジング（３０）と、を有し、
前記第２光コネクタ（３）は、
光ファイバ（４）の端末を保持するフェルール（６０）と、
前記フェルール（６０）を収容する第２ハウジング（５０）と、を有し、
当該接続構造は、
前記第１光コネクタ（１）と前記第２光コネクタ（３）との嵌合時、前記第１ハウジング（３０）の第１当接箇所（３８）と、前記第２ハウジング（５０）の第２当接箇所（５０）と、が当接することにより、前記レンズ体（２０）と前記フェルール（６０）とが所定の光学的距離（Ｌ）をあけて対面するように、前記レンズ体（２０）及び前記フェルール（６０）の位置が規制される、
光コネクタの接続構造。
［２］
上記［１］に記載の接続構造において、
前記第１当接箇所は、
前記レンズ体（２０）を収容する筒状部（３７）の側面において、前記第１光コネクタ（１）と前記第２光コネクタ（３）との嵌合方向に沿って延びる凸条部（３８）であり、
前記第２当接箇所（５０）は、
前記嵌合方向において前記凸条部（３８）に当接する、
光コネクタの接続構造。
【符号の説明】
【００５３】
１    基板側光コネクタ（第１光コネクタ）
３    相手側光コネクタ（第２光コネクタ）
４    光ファイバ
１０  光電変換モジュール
１２  光電変換素子
２０  レンズ体
３０  ハウジング（第１ハウジング）
３７  筒状部
３８  凸条部（第１当接箇所）
５０  相手側ハウジング（第２ハウジング、第２当接箇所）
６０  フェルール
Ｌ    距離（光学的距離）
【図１】
2020118865.tif 000003
【図２】
2020118865.tif 000004
【図３】
2020118865.tif 000005
【図４】
2020118865.tif 000006